(57)【要約】      （修正有）【課題】乗合バス及び乗合交通手段搭載用システムを提供する。【解決手段】乗合バスは、乗客用座席ごとに設けられたアミューズメントボックスと、各アミューズメントボックスとの間で信号の送信及び受信を行う制御部とを備えており、アミューズメントボックスは、制御部との間で信号の送信及び受信を行う通信端末部１１と、通信端末部が着脱自在とされた支持部１３とを有しており、少なくとも支持部１３が取替え自在とされている。【選択図】図２
0003225524.tif 000002
【実用新案登録請求の範囲】
【請求項１】
少なくとも乗客用座席ごとに設けられたアミューズメントボックスと、
各前記アミューズメントボックスとの間で信号の送信及び受信を行う制御部と、
を備えており、
前記アミューズメントボックスは、
前記制御部との間で信号の送信及び受信を行う通信端末部と、
少なくとも前記通信端末部が着脱自在とされた支持部と、
を有しており、
少なくとも前記支持部が取替え自在とされていることを特徴とする乗合バス。
【請求項２】
各乗客に提供する提供品を収納する収納部を備えており、
前記制御部からの信号に応じて、前記提供品を乗客に提供することを特徴とする請求項１に記載の乗合バス。
【請求項３】
前記支持部は、乗客用テーブルを兼ねた筐体構造とされており、内部に前記収納部が設けられていることを特徴とする請求項２に記載の乗合バス。
【請求項４】
前記通信端末部は、通信ネットワークを介して外部と通信自在とされていることを特徴とする請求項１〜３のいずれか１項に記載の乗合バス。
【請求項５】
前記制御部は、当該乗合バスの内部に設けられることを特徴とする請求項１〜４のいずれか１項に記載の乗合バス。
【請求項６】
前記制御部は、当該乗合バスの外部に設けられることを特徴とする請求項１〜５のいずれか１項に記載の乗合バス。
【請求項７】
少なくとも乗客用座席ごとに対応して配置されるアミューズメントボックスと、
各前記アミューズメントボックスとの間で信号の送信及び受信を行う制御部と、
を備えており、
前記アミューズメントボックスは、
前記制御部との間で信号の送信及び受信を行う通信端末部と、
少なくとも前記通信端末部が着脱自在とされた支持部と、
を有しており、
少なくとも前記支持部が取替え自在とされていることを特徴とする乗合交通手段搭載用システム。
【請求項８】
各乗客に提供する提供品を収納する収納部を備えており、
前記制御部からの信号に応じて、前記提供品を乗客に提供することを特徴とする請求項７に記載の乗合交通手段搭載用システム。
【請求項９】
前記支持部は、乗客用テーブルを兼ねた筐体構造とされており、内部に前記収納部が設けられていることを特徴とする請求項８に記載の乗合交通手段搭載用システム。
【請求項１０】
前記通信端末部は、通信ネットワークを介して外部と通信自在とされていることを特徴とする請求項７〜９のいずれか１項に記載の乗合交通手段搭載用システム。
【請求項１１】
前記制御部は、当該乗合交通手段の内部に配置されることを特徴とする請求項７〜１０のいずれか１項に記載の乗合交通手段搭載用システム。
【請求項１２】
前記制御部は、当該乗合交通手段の外部に配置されることを特徴とする請求項７〜１１のいずれか１項に記載の乗合交通手段搭載用システム。
【考案の詳細な説明】
【技術分野】
【０００１】
本考案は、乗合バス及び乗合交通手段搭載用システムに関するものである。
【背景技術】
【０００２】
従来より、いわゆる観光バスや路線バス、或いは各種学校や幼稚園等の教育関連施設の通学用バス等の乗合バスにおいて、その外装に広告や人気の高い動物、アニメーションのキャラクター等を表示する工夫を施したものがある。更には、近時における画像技術の急速な発展とも相俟って、ゴルフ場で利用されるカートであって、その車体側面の外側及び内側にそれぞれバーチャルリアリティ技術等を用いた映像を表示するものが開発されている。
【先行技術文献】
【非特許文献】
【０００３】
【非特許文献１】https://www.sony.co.jp/brand/stories/ja/our/products_services/sc-1/
【考案の概要】
【考案が解決しようとする課題】
【０００４】
例えば観光バス等のような乗合バスでは、交通手段として利用するのみならず、車内で個々の乗客が楽しむことができる工夫がなされているものがある。しかしながら、個々の乗客に情報技術や画像技術等を活用したエンターテインメントを提供する乗合バスは、未だ開発されていない現況にある。
【０００５】
本考案は、このような課題に鑑みてなされたものであり、特定の目的やテーマに対応して、車内で個々の乗客が主体的に楽しみながら移動することができる体験型の乗合バス及び乗合交通手段搭載用システムを提供することを目的とする。
【課題を解決するための手段】
【０００６】
本考案者は、鋭意検討の結果、以下に示す考案に想到した。
【０００７】
（１）
少なくとも乗客用座席ごとに設けられたアミューズメントボックスと、
各前記アミューズメントボックスとの間で信号の送信及び受信を行う制御部とを備えており、
前記アミューズメントボックスは、前記制御部との間で信号の送信及び受信を行う通信端末部と、少なくとも前記通信端末部が着脱自在とされた支持部とを有しており、
少なくとも前記支持部が取替え自在とされていることを特徴とする乗合バス。
【０００８】
（２）
各乗客に提供する提供品を収納する収納部を備えており、
前記制御部からの信号に応じて、前記提供品を乗客に提供することを特徴とする（１）に記載の乗合バス。
【０００９】
（３）
前記支持部は、乗客用テーブルを兼ねた筐体構造とされており、内部に前記収納部が設けられていることを特徴とする（２）に記載の乗合バス。
【００１０】
（４）
前記通信端末部は、前記通信ネットワークを介して外部と通信自在とされていることを特徴とする（１）〜（３）のいずれかに記載の乗合バス。
【００１１】
（５）
前記制御部は、当該乗合バスの内部に設けられることを特徴とする（１）〜（４）のいずれかに記載の乗合バス。
【００１２】
（６）
前記制御部は、当該乗合バスの外部に設けられることを特徴とする（１）〜（５）のいずれかに記載の乗合バス。
【００１３】
（７）
少なくとも乗客用座席ごとに対応して配置されるアミューズメントボックスと、
各前記アミューズメントボックスとの間で信号の送信及び受信を行う制御部と
を備えており、
前記アミューズメントボックスは、
前記制御部との間で信号の送信及び受信を行う通信端末部と、
少なくとも前記通信端末部が着脱自在とされた支持部と、
を有しており、
少なくとも前記支持部が取替え自在とされていることを特徴とする乗合交通手段搭載用システム。
【００１４】
（８）
各乗客に提供する提供品を収納する収納部を備えており、
前記制御部からの信号に応じて、前記提供品を乗客に提供することを特徴とする（７）に記載の乗合交通手段搭載用システム。
【００１５】
（９）
前記支持部は、乗客用テーブルを兼ねた筐体構造とされており、内部に前記収納部が設けられていることを特徴とする（８）に記載の乗合交通手段搭載用システム。
【００１６】
（１０）
前記通信端末部は、前記通信ネットワークを介して外部と通信自在とされていることを特徴とする（７）〜（９）のいずれかに記載の乗合交通手段搭載用システム。
【００１７】
（１１）
前記制御部は、当該乗合交通手段の内部に配置されることを特徴とする（７）〜（１０）のいずれかに記載の乗合交通手段搭載用システム。
【００１８】
（１２）
前記制御部は、当該乗合交通手段の外部に配置されることを特徴とする（７）〜（１１）のいずれかに記載の乗合交通手段搭載用システム。
【考案の効果】
【００１９】
本考案によれば、特定の目的やテーマに対応して、車内で個々の乗客が主体的に楽しみながら移動することができる体験型の乗合バス及び乗合交通手段搭載用システムが実現する。
【図面の簡単な説明】
【００２０】
【図１】本実施形態に係る乗合バスの内部構成を模式的に示す概略平面図である。
【図２】本実施形態に係る乗合バスの各乗客用座席を模式的に示す概略側面図である。
【考案を実施するための形態】
【００２１】
以下、本考案を適用した乗合バスの具体的な実施形態について説明する。
図１は、本実施形態に係る乗合バスの内部構成を模式的に示す概略平面図である。
図２は、本実施形態に係る乗合バスの各乗客用座席を模式的に示す概略側面図である。
【００２２】
本実施形態に係る乗合バスは、いわゆるアミューズメントバスであり、アニメーションのキャラクターや映画、アイドル歌手等をテーマとして、車内で当該テーマに対応じた乗客へのサービスが提供されるものである。その時々のテーマに応じて、乗客へのサービス内容やバスの外装等が取替え自在とされている。この乗合バスは、乗客へテーマに応じたサービスを提供しつつ、例えばテーマにゆかりのある場所等を巡る観光バス等として利用される。
【００２３】
この乗合バスは、図１に示すように、乗客用座席１ごとに設けられたアミューズメントボックス２と、各アミューズメントボックス２との間で信号の送信及び受信を行う制御部３とを備えている。
各アミューズメントボックス２は、図２に示すように、通信端末部１１、収納部１２、及び支持部１３を有している。
【００２４】
制御部３は、所定の乗務員の操作により各通信端末部１１及び各収納部１２等との間で信号の送信及び受信を行うものであり、通信端末部１１からの信号に応じて、当該通信端末部１１に所期の画像等を表示させたり、収納部１２に信号を送信して提供品を乗客に提供したりする。制御部３は、個々の通信端末部１１との間で信号の送信及び受信を行うのみならず、全ての或いは一部複数の通信端末部１１に対して一斉に画像等の信号を送信することができる。例えば、当該乗合バスがまもなく到着する所定のキャラクター等に由来する場所等に関する情報や、所定のキャラクター等に関するクイズの回答等の信号を全ての或いは一部複数の通信端末部１１に同時に送信することが可能である。このような所定の信号の一斉送信により、全ての或いは一部複数の乗客が情報を共有することができる。通信端末部１１では、個々の乗客の選択により、受信した当該信号による一斉表示の画像等ではなく他の画像等をディスプレイ１１ａに表示することもできる。また、制御部３は、所定の宣伝広告等の信号を全ての或いは一部複数の通信端末部１１に対して送信し、通信端末部１１のディスプレイ１１ａの片隅等に表示させることもできる。
【００２５】
なお、制御部３は、その機能の一部又は全部において、乗務員等の操作によることなく自動的に各通信端末部１１及び収納部１２との間で信号のやり取りを行うようにしても良い。制御部３を、図１のように当該乗合バスの内部に設置する代わりに、当該乗合バスの外部に設置し、各通信端末部１１と遠隔して通信するようにしても良い。
【００２６】
通信端末部１１は、当該乗客用座席１に着席する乗客の操作により制御部３との間で信号の送信及び受信を行うものであり、所定のディスプレイ１１ａ及びキーボード等の入力部１１ｂを有している。通信端末部１１には、アミューズメントバスのテーマに対応したプログラムが記録された所定の記憶媒体等がインストール自在とされている。通信端末部１１は、例えばその外装カバー等が当該テーマに対応した意匠等が施されており、当該テーマごとに取替え自在とされている。
【００２７】
収納部１２は、乗客に提供する提供品、例えば当該テーマに対応したキャラクターグッズ等を収納するものである。収納部１２には、複数種類のキャラクターグッズ等が適宜分類されて収納されており、制御部３からの信号に応じて提供品が選択され、当該提供品が乗客に提供される。
【００２８】
支持部１３は、通信端末部１１を着脱自在に支持するものである。支持部１２は、アミューズメントバスのテーマに対応してその外観の意匠等が施されており、当該テーマごとに取替え自在とされている。支持部１３には、提供品の受け取り部１３ａが形成されており、乗客は受け取り部１３ａから提供品を受け取ることができる。支持部１３を乗客用テーブルを兼ねた筐体構造とし、図２に示すように支持部１３の外部に配置するようにしても良いし、支持部１３の内部に収納部１２が収容されるようにしても良い。
【００２９】
各アミューズメントボックス２の通信端末部１１は、インターネット等の通信ネットワークにおける、例えばＳＮＳ（Social Networking Service）等を介して、外部と通信自在とされている。当該乗合バスに乗車していない者でも、ＳＮＳ等を介して乗客の通信端末部１１と連絡をとることができ、当該乗合バスにおけるテーマに関するイベントに言わば準参加することが可能となる。
【００３０】
本実施形態では、上記した複数のアミューズメントボックス２及び制御部３を備えた乗合交通手段搭載用システムとして捉えることもできる。この場合、このシステムは、比較的多数の複数の乗客が乗降する乗合交通手段であれば、乗合バスのみならず、例えば大型タクシーや列車等の各種交通手段にも搭載することが可能である。
【００３１】
当該乗合バスでは、各乗客は、着席した乗客用座席１に配置されたアミューズメントボックス２に設けられた通信端末部１１を用いて、制御部３と通信することができる。当該乗合バスでは、アミューズメントボックス２等が所期のテーマに対応した外装等とされており、制御部３からの信号により、通信端末部１１のディスプレイ１１ａには当該キャラクターや現在の移動先等に応じて画像表示される。各乗客は、通信端末部１１の入力部１１ｂを操作することにより、制御部３から当該テーマに関する様々な情報を取得することができる。また、入力部１１ｂの操作により、当該テーマに関するクイズに答える等により、制御部３からの操作で収納部１２に収納されたキャラクターグッズ等の提供品をアミューズメントボックス２の受け取り部１３ａから受け取ることができる。
【００３２】
各乗客は、通信端末部１１の入力部１１ｂの操作により、例えばＳＮＳ等を介して外部と通信することができる。乗客と関連する外部の者も、ＳＮＳ等を介して乗合バスにおけるテーマに関するイベントに参加することができる。
【００３３】
以上説明したように、本実施形態によれば、特定の目的やテーマに対応して、車内で個々の乗客との間で又は全ての若しくは一部複数の乗客との間で信号の送受信を行うことにより、乗客が主体的に楽しみながら移動することが可能となる乗合バス及び乗合交通手段搭載用システムが実現する。
【符号の説明】
【００３４】
１  乗客用座席
２  アミューズメントボックス
３  制御部
１１  通信端末部
１１ａ  ディスプレイ
１１ｂ  入力部
１２  収納部
１３  支持部
１３ａ  受け取り部
【図１】
0003225524.tif 000003
【図２】
0003225524.tif 000004